(57)【要約】【課題】  隙間に容易に装着でき、しかも、大小の隙間の隠蔽が可能で、脱落が有効に防止される隙間カバー材を提供する。【解決手段】  隙間カバー材を、（ａ）水平縁とその水平縁から起立する垂直縁とを有して断面略Ｌ字形に形成された形材からなり、前記垂直縁の長手方向適宜の位置に形成された切欠を有する長尺の天井見切り材と、（ｂ）前記天井見切り材の垂直縁に固定され、上下に隔てた位置に前記水平縁側に斜めに延びる弾性係止片を有して前記見切り材の垂直縁にねじ止めされる弾性係止部材と、（ｃ）その弾性係止部材を前記見切り材の垂直縁との間に挟んでその垂直縁に固着され、上部に上方に向かって前記弾性係止部材に近づく方向に傾斜するテーパーを有する固定具とで構成した。【選択図】図１
2009024424.tif 000002
【特許請求の範囲】
【請求項１】
水平縁とその水平縁から起立する垂直縁とを有して断面略Ｌ字形に形成された形材からなり、前記垂直縁の長手方向適宜の位置に形成された切欠を有する長尺の天井見切り材と、
前記天井見切り材の垂直縁に固定され、上下に隔てた位置に前記水平縁側に斜めに延びる弾性係止片を有して前記見切り材の垂直縁にねじ止めされる弾性係止部材と、
その弾性係止部材を前記見切り材の垂直縁との間に挟んでその垂直縁に固着され、上部に上方に向かって前記弾性係止部材に近づく方向に傾斜するテーパーを有する固定具とからなることを特徴とする隙間カバー材。
【請求項２】
天井見切り材の切欠は一つの弾性係止部材に対して見切り材の垂直縁の長手方向に隔てて１対設けられ、固定具に貫通したねじを前記弾性係止部材に貫通して前記天井見切り材の前記１対の切欠の間の垂直縁にねじ込んで、前記弾性係止部材を前記固定具とともに前記天井見切り材に固着してあることを特徴とする請求項１に記載の隙間カバー材。
【請求項３】
建物の屋根に軒天パネルを固定し、
その固定された軒天パネルと前記建物の外壁との間の隙間に、その下方から、請求項１又は２に記載された隙間カバー材を押し込んで、前記軒天パネルの端面に押圧されて変形されていた上側の弾性係止片を前記軒天パネルの上面側に弾性復帰させるとともに、下側の弾性係止片を前記軒天パネルの端面に押圧当接させ、かつ、前記天井見切り材の水平縁を前記軒天パネルの端部下面に当接させた状態で前記隙間カバー材を固定すること、
を特徴とする隙間塞ぎ工法。
【発明の詳細な説明】
【技術分野】
【０００１】
本発明は、例えば建物の外壁と軒天パネルとの間に生じる隙間を塞ぐための隙間カバー材及びその隙間カバー材を用いて隙間を塞ぐ工法に関する。
【背景技術】
【０００２】
軒裏には軒天パネルが一端を建物の外壁に近接して取付けられる。また、例えば、２階建て住宅の屋外階段室あるいは玄関室が、建物外壁面から建物内側方向に凹んで形成され高天井を備えたものである場合は、その高天井に、外観体裁向上のため、軒天パネルに延長する形で別の軒天パネルが取り付けられることがある。この延長して取付けられる軒天パネルを以下、便宜的に延長軒天パネルという。
【０００３】
従来、延長軒天パネルは、外壁施工後、屋根組に垂設した吊り金具の下端部に、延長軒天パネルの上面側に取り付けた固定金具をボルト止めして取り付けるが、建物凹部の外壁面と延長軒天パネルの間には隙間が生じる。また、階段室などの建物凹部の凹み深さが大きい場合は、複数枚の延長軒天パネルを連設する必要があり、各延長軒天パネル同士の間にも隙間が生じる。そして、従来は、これらの隙間に弾性を有するガスケットを下方から押し込んで詰めることにより、その隙間を塞いでいた。
また、延長軒天パネルの取付後に、軒裏に軒天パネルを取付けるが、延長軒天パネルと軒天パネルの間にも隙間が生じるので、同様のガスケットを詰めて、その隙間を隠蔽していた。
【特許文献１】特になし
【発明の開示】
【発明が解決しようとする課題】
【０００４】
しかしながら、上記従来技術においては、延長軒天パネルと外壁との間の隙間又は延長軒天パネルと軒天パネルとの間の隙間にガスケットを下方から押し込んで詰め、摩擦力のみで固定するだけであるため、ガスケットが脱落する虞があった。また、延長軒天パネルと外壁との間の隙間は、外壁の厚さや種類などにより異なるが、８〜１５ｍｍ程度の大きさになることがあるから、いずれの場合にも対応可能にするためには、寸法の異なる複数種類のガスケットを用意しなければならないという難点があった。さらに、ガスケットはゴム製であるため、経年変化により波打ちが発生して、外見不良を生じる問題があった。
【０００５】
本発明は、上記の点に鑑みてなされたものであり、第１の目的は、隙間に容易に装着でき、しかも、大小の隙間の隠蔽が可能で、脱落が有効に防止される隙間カバー材を提供することにある。
【０００６】
また、本発明の第２の目的は、上記隙間カバー材を用いて、隙間を簡単な施工により隠蔽するとともに一定の外観が得られる隙間塞ぎ工法を提供することにある。
【課題を解決するための手段】
【０００７】
上記第１の目的を達成するため、本発明に係る隙間カバー材は、（ａ）水平縁とその水平縁から起立する垂直縁とを有して断面略Ｌ字形に形成された形材からなり、前記垂直縁の長手方向適宜の位置に形成された切欠を有する長尺の天井見切り材と、（ｂ）前記天井見切り材の垂直縁に固定され、上下に隔てた位置に前記水平縁側に斜めに延びる弾性係止片を有して前記見切り材の垂直縁にねじ止めされる弾性係止部材と、（ｃ）その弾性係止部材を前記見切り材の垂直縁との間に挟んでその垂直縁に固着され、上部に上方に向かって前記弾性係止部材に近づく方向に傾斜するテーパーを有する固定具とからなることを特徴としている。
【０００８】
本発明の好ましい例では、天井見切り材の切欠は一つの弾性係止部材に対して見切り材の垂直縁の長手方向に隔てて１対設けられ、固定具に貫通したねじを前記弾性係止部材に貫通して前記天井見切り材の前記１対の切欠の間の垂直縁にねじ込んで、前記弾性係止部材を前記固定具とともに前記天井見切り材に固着してあることを特徴としている。
【０００９】
また、上記第２の目的を達成するため、本発明に係る隙間塞ぎ工法は、（ａ）建物の屋根に軒天パネルを固定し、（ｂ）その固定された軒天パネルと前記建物の外壁との間の隙間に、その下方から、請求項１又は２に記載された隙間カバー材を押し込んで、前記軒天パネルの端面に押圧されて変形されていた上側の弾性係止片を前記軒天パネルの上面側に弾性復帰させるとともに、下側の弾性係止片を前記軒天パネルの端面に押圧当接させ、かつ、前記天井見切り材の水平縁を前記軒天パネルの端部下面に当接させた状態で前記隙間カバー材を固定することを特徴としている。
【発明の効果】
【００１０】
請求項１の発明によれば、隙間カバー材は、（ａ）水平縁とその水平縁から起立する垂直縁とを有して断面略Ｌ字形に形成された形材からなり、前記垂直縁の長手方向適宜の位置に形成された切欠を有する長尺の天井見切り材と、（ｂ）前記天井見切り材の垂直縁に固定され、上下に隔てた位置に前記水平縁側に斜めに延びる弾性係止片を有して前記見切り材の垂直縁にねじ止めされる弾性係止部材と、（ｃ）その弾性係止部材を前記見切り材の垂直縁との間に挟んでその垂直縁に固着され、上部に上方に向かって前記弾性係止部材に近づく方向に傾斜するテーパーを有する固定具とからなるので、固定具により天井見切り材に対する弾性係止部材の固定が容易にできるとともに、固定具はテーパーを有するので、弾性係止部材及び固定具の隙間への嵌合を容易に行うことができる。また、隙間カバー材の装着時に、装着対象物に押圧され変形していた上側弾性係止片が、隙間カバー材が所定位置まで押し込まれて装着対象物の端面から外れた瞬間に弾性復帰する音又は振動を発生するので、所定位置まで押し込まれたことを感覚的に確認することができる。従って、確実な施工が保証される。
【００１１】
請求項２の発明によれば、天井見切り材の切欠は一つの弾性係止部材に対して見切り材の垂直縁の長手方向に隔てて１対設けられ、固定具に貫通したねじを前記弾性係止部材に貫通して前記天井見切り材の前記１対の切欠の間の垂直縁にねじ込んで、前記弾性係止部材を前記固定具とともに前記天井見切り材に固着してあるので、隙間カバー材は構成が簡単で、しかも堅固に形成される。
【００１２】
請求項３の発明によれば、軒天パネルを固定した後、その軒天パネルと外壁との間の隙間に隙間カバー材を押し込むだけで所定の位置で固定され、しかも、大小を問わずその隙間が隠蔽されるので、施工能率が良い。また、固定された軒天パネルと建物の外壁との間の隙間に隙間カバー材を下方から押し込むと、見切り材は水平縁が軒天パネルの端部下面に当接するので所定位置に止められ、弾性係止部材の上側の弾性係止片は軒天パネルの上面側に弾性復帰するので隙間カバー材の脱落が効果的に防止される。さらに、下側の弾性係止片は軒天パネルの端面に押圧当接するので、前記隙間の大きさが変動しても、その隙間がその隙間カバー材により隠蔽される。すなわち、隙間の大小に関わりなく、同一の構成部材の使用が可能である。また、隙間カバー材は、隙間を塞ぐ見切り材が金属押出形材製であるので、従来のガスケットのような経年変化による波打ちを生じることはないので、外観体裁も向上する。
【発明を実施するための最良の形態】
【００１３】
次に、本発明の実施の形態について図面に基づいて説明する。
図１は、建物外壁Ｗから建物内側方向に凹んで形成され、高天井を有する建物凹部の一例としての階段室Ｈと、その階段室の高天井に設けられた延長軒天パネルＰ１１，Ｐ１２と、その延長軒天パネルに軒天パネルＰ２が連設されている状態を示す。
図２は階段室Ｈの高天井に取り付けられる延長軒天パネルＰ１１，Ｐ１２と屋根の軒裏に取り付けられる軒天パネルＰ２との位置関係を示す説明図、図３は図２の階段室Ｈに取り付けられる延長軒天パネルＰ１１，Ｐ１２の周囲に装着される隙間カバー材Ａ１，Ａ２，Ａ３とパネルカバー材Ｂ１，Ｂ２との配置関係を示す平面図である。図４は延長軒天パネルを除去して隙間カバー材Ａ１，Ａ２，Ａ３にパネルカバー材Ｂ１，Ｂ２を接続した状態を下方から見た斜視図である。図５は見切り材１０のみを示す図であり、（ａ）は正面図、（ｂ）は側面図である。図６は弾性係止部材２０及び固定具３０のみを示す斜視図、図７は隙間カバー材を示すものであり、（ａ）は正面図、（ｂ）は側面図である。図８は本発明の施工方法により延長軒天パネルが取り付けられた状態の一部の縦断面図、図９はその平面図である。図１０は隙間カバー材の装着時の作用を説明する要部断面図である。図１１はパネルカバー材の好ましい形状を示す図であり、（ａ）は断面図、（ｂ）は延長軒天パネルに対する固定状態を示す断面図である。
【００１４】
図１−図４は、建物凹部の高天井に２枚の延長軒天パネルＰ１１，Ｐ１２が取り付けられている例を示す。各延長軒天パネルＰ２１，Ｐ２２は、図８，図１０に示すように、外壁Ｗ施工後に、図示されていない垂木その他の屋根組に垂設されている吊り金具１の下端部に、各延長軒天パネルの上面の端部付近に固着されている固定金具２をボルトナット３，４により締結して、いわゆる上吊りされる。手前側の延長軒天パネルＰ１２は、奥側の延長軒天パネルＰ１１の上吊りが終了した後に、上吊りされる。
【００１５】
延長軒天パネル１１のコ字形に連なる３端辺と外壁Ｗの間及び延長軒天パネル１２の互いに反対側の２端辺と外壁Ｗの間には隙間Ｇ１が形成され、延長軒天パネル１１、１２の隣接する端部同士の間には隙間Ｇ２が形成されている（図８参照）。これらの隙間Ｇ１，Ｇ２の幅は様々であり、通常８〜１５ｍｍの範囲で異なる。
【００１６】
そして、各延長軒天パネルＰ１１，Ｐ１２と外壁Ｗの間の隙間Ｇ１には、本発明に係る隙間カバー材Ａが、後述するようにして押し込んで装着される。まず、隙間カバー材Ａの構成について説明する。隙間カバー材Ａは、アルミニウム合金などの金属押出形材を所定の長さに切断して長尺に形成された天井見切り材１０を有する。天井見切り材１０は、図５に示すように、延長軒天パネルＰ１１又はＰ１２の端縁の下面に当接される水平縁１１と、その水平縁の端部近傍において起立する垂直縁１２とを有して、略Ｌ字形の断面形状を有している。垂直縁１２の水平縁１１と反対側に突出する突縁１３が形成してあると、後述する固定具３０の取付時に仮固定ができるので、有利である。
【００１７】
天井見切り材１０の垂直縁１２には、その長手方向に隔てた位置に、１対の上方開口コ字形に切除された切欠（又は矩形の孔。以下、同じ。）１４，１４’が所定の距離を隔てて形成され、各対の切欠の間に残された垂直縁１２’にねじをねじ込むための孔１５が設けられている。
【００１８】
隙間カバー材Ａは、また、弾性係止部材２０を有する。弾性係止部材２０は、天井見切り材１０の切欠１４，１４’及び孔１５を利用して取り付けられる。弾性係止部材２０は、天井見切り材に固定される固定具３０により固定される。図６にも示すように、弾性係止部材２０は、板バネ材から凸字形に切り出し、中央上段部と両側段部とを下方開口コ字形に切断し、その板面に対して直交する方向に押し出して、上側に１つの弾性係止片２１を、下側に左右２つの弾性係止片２２を形成してあり、下部中央にねじ貫通孔２３が形成されている。弾性係止部材２０の下端辺から下側の弾性係止片２２の付け根までの高さは、天井見切り材１０の垂直縁１２の高さよりもわずかに大きく設定してある。
【００１９】
固定具３０は、図６に例示するように、一例として合成樹脂でブロック状に形成され、背面側は平坦に、正面側は下半部は平坦であるが、その上半部は上方に行くに従って背面側に接近するように傾斜するテーパー３１が形成されている。また、固定具３０の中央に、正面側から背面側に貫通するねじ孔３２が形成されている。そのねじ孔の正面側は、ねじ頭を収容する溝３３が形成してある。
【００２０】
上記構成により、弾性係止部材２０は、下側弾性係止片２２をそれぞれ天井見切り材１０の切欠１４，１４’に嵌合して、その切欠から水平縁１１側に突出させ、その弾性係止部材２０の下端部を天井見切り材１０の突縁１３に載せて安定化させて、これを天井見切り材１０の垂直縁１２の切欠の間の部分１２’に当接するとともに、固定具３０の下端部を同様に天井見切り材１０の突縁１３に載せて仮固定した状態で、固定具３０のねじ孔３２に貫通したねじ４０を弾性係止部材２０の孔２３に貫通した後、天井見切り材１０の孔１５にねじ込むことにより、図７に示される状態に結合してある。
【００２１】
図４には、各辺の天井見切り材１０に一例として３個の弾性係止部材２０が固定具３０により取り付けられた状態が示されている。このように、天井見切り材１０に弾性係止部材２０を固定具３０を介して取り付けてなる隙間カバー材Ａは、図８及び図１０に示すように、外壁Ｗと延長軒天パネルＰ１１の間の隙間Ｇ１に押し込まれて装着され、天井見切り材１０の水平縁１１の一端部は延長軒天パネルＰ１１の端縁下面に当接し、他端部（突縁１３）は外壁面Ｗに接近しているため、前記隙間Ｇ１が隠蔽される。
【００２２】
隙間カバー材Ａが隙間Ｇ１に押し込まれる際の弾性係止部材２０及び固定具３０の作用について、図１０に基づいて詳細に説明する。隙間カバー材Ａが隙間Ｇ１に押し込まれる際は、まず、上側弾性係止片２１が延長軒天パネルＰ１１の端面に弾力的に押圧して当接し、続いて、固定具３０が外壁面Ｗに弾力的に押圧されるが、固定具３０は上半部にテーパー３１を有するため、その隙間カバー材Ａの押し込みを阻害されずに続けることができる。従って、その押し込みを続けると、天井見切り材１０の水平縁１１が延長軒天パネルＰ１１の下面に当接する直前に、延長軒天パネルＰ１１の端面に押し付けられて変形されていた上側弾性係止片２１の先端が延長軒天パネルＰ１１の端面の上端から弾性復帰力により勢いよく外れる。しかし、下側弾性係止片２２は、延長軒天パネルＰ１１の端面を押圧して、その反力により天井見切り材１０を外壁Ｗ方向に押し付ける。天井見切り材１０は、その後、さらに押し上げられることにより、水平縁１１は延長軒天パネルＰ１１の下面に当接するため、隙間カバー材Ａは所定の位置で停止する。従って、隙間Ｇ１はほぼ完全に密封される。
【００２３】
弾性係止部材１０が板バネ製である場合は、その上側弾性係止片２１の先端が延長軒天パネルＰ１１の端面の上端から弾性復帰力により勢いよく外れる時に、クリック音又は振動が作業者に伝わるので、天井見切り材１０が所定の位置まで装着されたことを感覚的に確認することができる。従って、押し込みが不十分なために、脱落する事態が発生することは無い。万一、押し込みが不十分な場合は、上、下の弾性係止片２１，２２の押圧作用により、天井見切り材１０は延長軒天パネルＰ１１の端面と外壁面の間に摩擦係止されているので、容易に脱落することは無いが、ねじ止めされていないから、地震発生時などに脱落しないとも限らない。しかし、上側弾性係止片２１が延長軒天パネルＰ１１の上面側まで突出している場合は、このような振動による脱落は確実に防止できる。
【００２４】
そして、本発明の特長は、弾性係止部材１０の下側弾性係止片２２が延長軒天パネルＰ１１の端面を押圧して、その反力により天井見切り材１０を外壁Ｗ方向に押し付ける弾力的に当接するため、延長軒天パネルＰ１１と外壁Ｗの間に生じる隙間Ｇ１の寸法が８〜１５ｍｍ程度の範囲で変動しても、同一の部材でそれら各種の隙間に対応することができることである。
【００２５】
図１０（ａ）は、隙間ｄ１が比較的大きい場合、例えば１５ｍｍ程度の場合の施工例、（ｂ）は隙間ｄ２が例えば１０ｍｍ程度の場合の施工例、（ｃ）は隙間ｄ３が例えば８ｍｍの場合の施工例を示す。本発明の好ましい実施の形態においては、上記のように、天井見切り材１０の垂直縁１２に形成した切欠１４，１４’に弾性係止片２２を通して突出させてあるので、隙間寸法が小さいときは、図１０（ｃ）に示すように、変形した弾性係止片２２がその切欠１４，１４’に収容可能なため、小さな隙間にも適用することが可能になったものである。
【００２６】
図４及び図８のＢ１は、延長軒天パネルＰ１１，Ｐ１２の端部同士の間に生じる隙間Ｇ２を塞ぐパネルカバー材である。アルミニウム合金製押出形材で長尺のほぼ平板状に形成され、隣接する端部同士を跨ぐことができ、かつ、ねじ代５１を備えるだけの幅を有する。ねじ代５１の上面側（延長軒天パネル側）には、ねじ込み時の安定性を良くするため、一対の突縁５２，５２’が設けられ、ねじ代と反対側の端部上面には１条の突縁５３が形成されている。パネルカバー材Ｂ１は、天井見切り材１０の水平縁１１の外観と調和する外観を備えるため、延長軒天パネルＰ１１の下面からの水平縁１１の突出高さとほぼ同じ高さを有している。しかし、好ましい実施の形態においては、図１１に示すように、ねじ代５１の上面側の一対の突縁５２，５２’のうち、パネルカバー材中央側の突縁５２’の高さを若干低くしてある。これにより、同図（ｂ）に示すように、パネルカバー材Ｂ１をねじ６０で固定したときに、ねじ代５１と反対側の端部上面の１条の突縁５３が延長軒天パネルＰ１１の下面から浮くことが防止される。換言すると、ねじ代５１の上面側の一対の突縁５２，５２’が等しい高さに形成してあると、パネルカバー材Ｂ１をねじ止めしたときに、ねじ代と反対側の端部上面の１条の突縁５３が延長軒天パネルＰ１１の下面から浮き上がり、外観体裁を損なう虞があった。
【００２７】
また、パネルカバー材Ｂ１は、その長手方向両端部を、図４に示すように、既に延長軒天パネルと外壁との間に固定された天井見切り材１０の水平縁１１の下面に重ねた状態で、ねじ６０により水平縁１１に固着されるが、パネルカバー材Ｂ１の上面に設けられている３条の突縁５２，５２’，５３は、パネルカバー材Ｂ１の長手方向両端部において天井見切り材１０の水平縁１１の幅と等しい長さに渡って切除されている。これにより、パネルカバー材Ｂ１は、その全長に渡って水平状態を保って天井見切り材１０に連続することができ、調和の取れた外観を備えることが可能になっている。
【００２８】
上記のようにして、建物凹部の高天井に取り付けられた２枚の延長軒天パネルＰ１１，Ｐ１２と外壁Ｗの間に隙間カバー材Ａ１，Ａ２，Ａ３を装着し、かつ、それらの２枚の延長軒天パネルの間にパネルカバー材Ｂ１を装着して、２枚の延長軒天パネルＰ１１，Ｐ１２と外壁Ｗの間の隙間Ｇ１及び２枚の延長軒天パネルの間の隙間Ｇ２を隠蔽した後、屋根の軒裏に、軒天パネルＰ２が周知の方法により取り付けられる。そして、最後に、手前側の延長軒天パネルＰ１２と軒天パネルＰ２との間の隙間を、上記パネルカバー材Ｂ１と同一のパネルカバー材Ｂ２を、上記パネルカバー材の施工の場合と同じ要領で施工して取り付けられる。
【００２９】
軒天パネルＰ２が取り付けられた後、その軒天パネルＰ２と外壁Ｗとの間の隙間にも、上記隙間カバー材を上記と同様にして取付けて、その隙間を塞ぐことができる。これにより、外壁とこれに接する全ての軒天パネルとの間に、同じ構成の隙間カバー材を装着して、統一された外観を備えることができる。
【００３０】
図１２（ａ）に、延長軒天パネルが２枚設けられ、その軒先側に軒天パネルが連設される場合の隙間カバー材とパネルカバー材の配設位置を示す。同図（ｂ）は延長軒天パネルが１枚設けられる場合の同様の配設位置を示す。
【図面の簡単な説明】
【００３１】
【図１】階段室の高天井に延長軒天パネルが、軒裏に軒天パネルが取り付けられている状態を示す斜視図。
【図２】図１の階段室の高天井に取り付けられる延長軒天パネルと軒裏に取り付けられる軒天パネルとの位置関係を示す説明図。
【図３】図２の階段室に取り付けられる延長軒天パネルの周囲に装着される隙間カバー材とパネルカバー材との配置関係の一例を示す平面図。
【図４】隙間カバー材にパネルカバー材を接続した状態を下方から見た斜視図。
【図５】天井見切り材のみを示す図であり、（ａ）は正面図、（ｂ）は側面図。
【図６】弾性係止部材及び固定具を示す斜視図。
【図７】隙間カバー材を示す図であり、（ａ）は要部の正面図、（ｂ）は側面図。
【図８】本発明の施工方法による延長軒天パネルの取付状態を示す一部省略縦断面図。
【図９】同じく平面図。
【図１０】隙間カバー材装着時の作用を説明する要部断面図であり、（ａ）〜（ｃ）は、隙間の大きさが順次小さくなる場合を示す。
【図１１】パネルカバー材の好ましい形状を示す図であり、（ａ）は断面図、（ｂ）は延長軒天パネルに対する固定状態を示す断面図。
【図１２】外壁と延長軒天パネルと隙間カバー材とパネルカバー材との位置関係を示すものであり、（ａ）は延長軒天パネルが２枚連設される場合、（ｂ）は延長軒天パネルが１枚受けられる場合を示す。
【符号の説明】
【００３２】
Ｈ          階段室（建物凹部）
Ｗ          建物の外壁
１          吊り金具
Ｐ１１，Ｐ１２，Ｐ２    延長軒天パネル
Ａ，Ａ１，Ａ２，Ａ３    隙間カバー材
１０        天井仕切材
２０        弾性係止部材
３０        固定具
４０        ねじ
Ｂ，Ｂ１，Ｂ２            パネルカバー材
【図１】
2009024424.tif 000003
【図２】
2009024424.tif 000004
【図３】
2009024424.tif 000005
【図４】
2009024424.tif 000006
【図５】
2009024424.tif 000007
【図６】
2009024424.tif 000008
【図７】
2009024424.tif 000009
【図８】
2009024424.tif 000010
【図９】
2009024424.tif 000011
【図１０】
2009024424.tif 000012
【図１１】
2009024424.tif 000013
【図１２】
2009024424.tif 000014